(57)【特許請求の範囲】
【請求項１】
複数の凹部又は凸部を各々が含んだ第１及び第２界面部を備え、前記第１及び第２界面部の各々において、前記複数の凹部又は凸部は可視光の最短波長の１／２より長く且つ前記最短波長未満の中心間距離で互いに交差する２方向に規則的に配列し、前記複数の凹部又は凸部の少なくとも一部はテーパ形状を有しており、前記第１及び第２界面部は前記複数の凹部又は凸部の配列方向が互いに異なり、前記第１界面部に対応した第１表示部及び前記第２界面部に対応した第２表示部は、法線方向から光を照射し、正反射光の強度を測定したときに、波長が４００ｎｍ乃至７００ｎｍの範囲内にある全ての光成分について反射率が１０％以下であり、前記第１界面部に対応した第１表示部と前記第２界面部に対応した第２表示部とは、正面から観察した場合に同一の色感覚を観察者に与え、前記第１及び第２表示部は、互いに隣接しており、正面から観察した場合に互いからの判別が不可能又は困難な潜像を構成し、観察方向に応じて該潜像は表示する像に変化することを特徴とする表示体。
【請求項２】
前記第１及び第２界面部の各々において前記複数の凹部又は凸部は正方格子状に配列し、前記第１界面部と前記第２界面部とで前記配列方向が４５°異なっていることを特徴とする請求項１に記載の表示体。
【請求項３】
前記第１及び第２界面部と面内方向に隣り合った第３界面部を更に備え、前記第３界面部は平坦面であることを特徴とする請求項１乃至２の何れか１項に記載の表示体。
【請求項４】
前記第１及び第２界面部と面内方向に隣り合った第３界面部を更に備え、前記第３界面部には複数の溝を配列してなり且つ前記最短波長以上の格子定数を有している回折格子が設けられていることを特徴とする請求項１乃至２の何れか１項に記載の表示体。
【請求項５】
前記第１及び第２界面部と面内方向に隣り合った第３及び第４界面部を更に備え、前記第３界面部は平坦面であり、前記第４界面部には複数の溝を配列してなり且つ前記最短波長以上の格子定数を有している回折格子が設けられていることを特徴とする請求項１乃至２の何れか１項に記載の表示体。
【請求項６】
光透過層と反射層との積層体を含み、前記光透過層と前記反射層との界面は、前記複数の界面部を含み、前記光透過層は複屈折性を有していることを特徴とする請求項１乃至５の何れか１項に記載の表示体。
【請求項７】
請求項１乃至６の何れか１項に記載の表示体と、これを支持した物品とを具備したことを特徴とするラベル付き物品。
【発明の詳細な説明】
【技術分野】
【０００１】
本発明は、例えば偽造防止効果を提供する表示技術に関する。
【背景技術】
【０００２】
一般に、商品券及び小切手などの有価証券類、クレジットカード、キャッシュカード及びＩＤカードなどのカード類、並びにパスポート及び免許証などの証明書類には、それらの偽造を防止するために、通常の印刷物とは異なる視覚効果を有する表示体が貼り付けられている。また、近年、これら以外の物品についても、偽造品の流通が社会問題化している。そのため、そのような物品に対しても、同様の偽造防止技術を適用する機会が増えてきている。
【０００３】
通常の印刷物とは異なる視覚効果を有している表示体としては、複数の溝を並べてなる回折格子を含んだ表示体が知られている。この表示体には、例えば、観察条件に応じて変化する像を表示させることや、立体像を表示させることができる。また、回折格子が表示する回折による分光色は、通常の印刷技術では表現することができない。そのため、回折格子を含んだ表示体は、偽造防止対策が必要な物品に広く用いられている。
【０００４】
この表示体では、レリーフ型の回折格子を使用することが一般的である。レリーフ型回折格子は、通常、フォトリソグラフィを利用して製造した原版から複製することにより得られる。例えば、特許文献１及び２には、回折格子を形成するために、一方の主面に感光性レジストを塗布した平板状の基板をＸＹステージ上に載置し、コンピュータ制御のもとでステージを移動させながら感光性レジストに電子ビームを照射することにより、感光性レジストをパターン露光することが記載されている。また、非特許文献１には、二光束干渉を利用して回折格子を形成することが記載されている。これから分かるように、レリーフ型回折格子を含んだ表示体の製造に使用する原版は、それ自体の製造が困難であり、それゆえ、レリーフ型回折格子を含んだ表示体の製造も困難であった。
【０００５】
しかしながら、偽造防止対策が必要な物品の多くでレリーフ型回折格子を含んだ表示体が用いられるようになった結果、この技術が広く認知され、これに伴い、偽造品の発生も増加する傾向にある。そのため、レリーフ型回折格子を含んだ表示体を用いて十分な偽造防止効果を達成することが難しくなってきている。
【特許文献１】特開平２−７２３２０号公報
【特許文献２】米国特許第５０５８９９２号明細書
【非特許文献３】辻内順平著、「ホログラフィー」、丸善株式会社
【発明の開示】
【発明が解決しようとする課題】
【０００６】
本発明の目的は、より高い偽造防止効果を達成可能とすることにある。
【課題を解決するための手段】
【０００７】
本発明の第１側面によると、  複数の凹部又は凸部を各々が含んだ第１及び第２界面部を備え、前記第１及び第２界面部の各々において、前記複数の凹部又は凸部は可視光の最短波長の１／２より長く且つ前記最短波長未満の中心間距離で互いに交差する２方向に規則的に配列し、前記複数の凹部又は凸部の少なくとも一部はテーパ形状を有しており、前記第１及び第２界面部は前記複数の凹部又は凸部の配列方向が互いに異なり、前記第１界面部に対応した第１表示部及び前記第２界面部に対応した第２表示部は、法線方向から光を照射し、正反射光の強度を測定したときに、波長が４００ｎｍ乃至７００ｎｍの範囲内にある全ての光成分について反射率が１０％以下であり、前記第１界面部に対応した第１表示部と前記第２界面部に対応した第２表示部とは、正面から観察した場合に同一の色感覚を観察者に与え、前記第１及び第２表示部は、互いに隣接しており、正面から観察した場合に互いからの判別が不可能又は困難な潜像を構成し、観察方向に応じて該潜像は表示する像に変化することを特徴とする表示体が提供される。
【０００８】
本発明の第２側面によると、第１側面に係る表示体と、これを支持した物品とを具備したことを特徴とするラベル付き物品が提供される。
【発明の効果】
【０００９】
本発明によると、より高い偽造防止効果を達成することが可能となる。
【発明を実施するための最良の形態】
【００１０】
以下、本発明の態様について、図面を参照しながら詳細に説明する。なお、全ての図面を通じて、同様又は類似した機能を発揮する構成要素には同一の参照符号を付し、重複する説明は省略する。
【００１１】
図１は、本発明の一態様に係る表示体を概略的に示す平面図である。図２は、図１に示す表示体のＩＩ−ＩＩ線に沿った断面図である。
【００１２】
この表示体１０は、光透過層１１と反射層１３との積層体を含んでいる。図２に示す例では、光透過層１１側を前面側とし且つ反射層１３側を背面側としている。光透過層１１と反射層１３との界面は、第１界面部ＩＦ１と第２界面部ＩＦ２と第３界面部ＩＦ３とを含んでいる。後述するように、界面部ＩＦ１及びＩＦ２には、凹構造及び／又は凸構造が設けられている。以下、この表示体１０のうち、界面部ＩＦ１乃至ＩＦ３に対応した部分を、それぞれ、表示部ＤＡ１乃至ＤＡ３と呼ぶ。
【００１３】
光透過層１１の材料としては、例えば、ポリカーボネート及びポリエステルなどの光透過性を有する樹脂を使用することができる。例えば、熱可塑性樹脂又は光硬化性樹脂を使用すると、原版を用いた転写により、一方の主面に凹構造及び／又は凸構造が設けられた光透過層１１を容易に形成することができる。
【００１４】
図２には、一例として、光透過性基材１１１と光透過性樹脂層１１２との積層体で構成された光透過層１１を描いている。光透過性基材１１１は、それ自体を単独で取り扱うことが可能なフィルム又はシートである。光透過性樹脂層１１２は、光透過性基材１１１上に形成された層である。図２に示す光透過層１１は、例えば、光透過性基材１１１上に熱可塑性樹脂又は光硬化性樹脂を塗布し、この塗膜に原版を押し当てながら樹脂を硬化させることにより得られる。
【００１５】
反射層１３としては、例えば、アルミニウム、銀、金、及びそれらの合金などの金属材料からなる金属層を使用することができる。或いは、反射層１３として、光透過性１１とは屈折率が異なる誘電体層を使用してもよい。或いは、反射層１３として、隣り合うもの同士の屈折率が異なる誘電体層の積層体、即ち、誘電体多層膜を使用してもよい。但し、誘電体多層膜が含む誘電体層のうち光透過層１１と接触しているものの屈折率は、光透過層１１の屈折率とは異なっている必要がある。反射層１３は、例えば、真空蒸着法及びスパッタリング法などの気相堆積法により形成することができる。
【００１６】
光透過層１１及び反射層１３の一方は、省略することができる。但し、表示体１０が光透過層１１及び反射層１３の双方を含んでいる場合、それらの一方のみを含んでいる場合と比較して、先の界面の損傷を生じ難く、表示体１０に視認性がより優れた像を表示させることができる。
【００１７】
この表示体１０は、接着剤層及び保護層などの他の層を更に含むことができる。  
接着剤層は、例えば、反射層１３を被覆するように設ける。表示体１０が光透過層１１及び反射層１３の双方を含んでいる場合、通常、反射層１３の表面の形状は、光透過層１１と反射層１３との界面の形状とほぼ等しい。接着剤層を設けると、反射層１３の表面が露出するのを防止できるため、先の界面の凹構造及び／又は凸構造の偽造を目的とした複製を困難とすることができる。
【００１８】
光透過層１１側を背面側とし且つ反射層１３側を前面側とする場合、接着層は、光透過層１１上に形成する。この場合、光透過層１１と反射層１３との界面ではなく、反射層１３と外界との界面が界面部ＩＦ１乃至ＩＦ３を含む。
【００１９】
保護層は、光透過層１１及び反射層１３の積層体に対して前面側に設ける。例えば、光透過層１１側を背面側とし且つ反射層１３側を前面側とする場合、必要に応じて接着剤層などを介して反射層１３に保護層を貼りつけることにより、反射層１３の損傷を抑制できるのに加え、その表面の凹構造及び／又は凸構造の偽造を目的とした複製を困難とすることができる。
【００２０】
次に、界面部ＩＦ１乃至ＩＦ３について説明する。  
図３は、図１及び図２に示す表示体の第１界面部に採用可能な構造の一例を示す斜視図である。図４は、図３に示す構造の平面図である。図５は、図１及び図２に示す表示体の第２界面部に採用可能な構造の一例を示す斜視図である。図６は、図５に示す構造の平面図である。なお、図３及び図５には、それぞれ、透明層１１側から見た界面部ＩＦ１及びＩＦ２を描いている。
【００２１】
界面部ＩＦ１及びＩＦ２の各々には、複数の凸部ＰＲが設けられている。これら凸部ＰＲは、小さい中心間距離で規則的に配置されている。図３及び図４に示す例では、凸部ＰＲは、互いに略直交するｘ方向とｙ方向とに格子状に配列している。図５及び図６に示す例では、凸部ＰＲは、互いに略直交するｘ’方向とｙ’方向とに格子状に配列している。即ち、界面部ＩＦ１及びＩＦ２の各々において、凸部ＰＲは正方格子状に配列している。
【００２２】
ｘ方向とｘ’方向とは交差しており、例えば約４５°の角度を為している。即ち、界面部ＩＦ１と界面部ＩＦ２とでは、凸部ＰＲの配列方向が異なっている。
【００２３】
界面部ＩＦ１及びＩＦ２の各々において、各凸部ＰＲは、典型的にはテーパ形状を有している。それら凸部ＰＲの一部は、テーパ形状を有していなくてもよい。
【００２４】
テーパ形状は、例えば、紡錘形状、円錐及び角錐などの錐体形状、又は切頭円錐及び切頭角錐などの切頭錐体形状である。凸部ＰＲの側面は、傾斜面のみで構成されていてもよく、階段状であってもよい。テーパ形状は、界面部ＩＦ１及びＩＦ２の反射率を小さくするのに役立つ。加えて、テーパ形状は、原版からの光透過層１１の取り外しを容易にし、生産性の向上に寄与する。
【００２５】
界面部ＩＦ１及びＩＦ２の各々において、凸部ＰＲの中心間距離は、可視光の最短波長と比較してより短い。例えば、凸部ＰＲの中心間距離は、約４００ｎｍ未満である。また、界面部ＩＦ１及びＩＦ２の各々において、凸部ＰＲの中心間距離は、可視光の最短波長の１／２よりも長い。例えば、凸部ＰＲの中心間距離は、約２００ｎｍよりも長い。そして、界面部ＩＦ１及びＩＦ２の各々において、凸部ＰＲの平均高さは、例えば、３００乃至４５０ｎｍの範囲内にある。
【００２６】
界面部ＩＦ１及びＩＦ２の各々において、凸部ＰＲは回折格子を形成している。界面部ＩＦ１と界面部ＩＦ２とは、凸部ＰＲの配列方向、即ち回折格子の方位が異なっている。例えば、界面部ＩＦ１における凸部ＰＲの配列方向と界面部ＩＦ２における凸部ＰＲの配列方向とは約４５°の角度を為している。なお、凸部ＰＲが形成している回折格子は、溝（即ち、格子線）を破線で示すように配置してなる回折格子とほぼ同様に機能する。  
界面部ＩＦ３は、例えば平坦面である。界面部ＩＦ３は、省略することができる。
【００２７】
次に、界面部ＩＦ１及びＩＦ２が有している視覚効果について説明する。  
回折格子を照明すると、回折格子は、入射光である照明光の進行方向に対して特定の方向に強い回折光を射出する。
【００２８】
ｍ次回折光（ｍ＝０、±１、±２、・・・）の射出角βは、回折格子の格子線に垂直な面内で光が進行する場合、下記等式から算出することができる。  
ｄ＝ｍλ／（ｓｉｎα−ｓｉｎβ）
この等式において、ｄは回折格子の格子定数を表し、ｍは回折次数を表し、λは入射光及び回折光の波長を表している。また、αは、０次回折光、即ち、透過光又は正反射光の射出角を表している。換言すれば、αの絶対値は照明光の入射角と等しく、反射型回折格子の場合には、照明光の入射方向と正反射光の射出方向とは、回折格子が設けられた界面の法線に関して対称である。
【００２９】
なお、回折格子が反射型である場合、角度αは、０°以上であり且つ９０°未満である。また、回折格子が設けられた界面に対して斜め方向から照明光を照射し、法線方向の角度、即ち０°を境界値とする２つの角度範囲を考えると、角度βは、回折光の射出方向と正反射光の射出方向とが同じ角度範囲内にあるときには正の値であり、回折光の射出方向と照明光の入射方向とが同じ角度範囲内にあるときには負の値である。以下、正反射光の射出方向を含む角度範囲を「正の角度範囲」と呼び、照明光の入射方向を含む角度範囲を「負の角度範囲」と呼ぶ。
【００３０】
法線方向から回折格子を観察する場合、表示に寄与する回折光は射出角βが０°の回折光のみである。従って、この場合、格子定数ｄが波長λと比較してより大きければ、上記等式を満足する波長λ及び入射角αが存在する。即ち、この場合、観察者は、上記等式を満足する波長λを有する回折光を観察することができる。
【００３１】
これに対し、格子定数ｄが波長λと比較してより小さい場合、上記等式を満足する入射角αは存在しない。従って、この場合、観察者は、回折光を観察することができない。
【００３２】
この説明から明らかなように、界面部ＩＦ１及びＩＦ２は、通常の回折格子とは異なり、法線方向に回折光を射出しない。それゆえ、法線方向から観察した場合、表示部ＤＡ１及びＤＡ２は、回折による分光色を表示しない。
【００３３】
界面部ＩＦ１及びＩＦ２に設けられた回折格子と通常の回折格子とは、更に以下の点で相違する。
【００３４】
図７は、回折格子が１次回折光を射出する様子を概略的に示す図である。図８は、他の回折格子が１次回折光を射出する様子を概略的に示す図である。図７及び図８において、ＩＦは回折格子が形成された界面を示し、ＮＬは界面ＩＦの法線を示し、ＩＬは照明光を示し、ＲＬは正反射光又は０次回折光を示し、ＤＬは１次回折光を示している。
【００３５】
上記等式から明らかなように、回折格子の格子定数ｄが可視光の最短波長と比較してより大きい場合、例えば約４００ｎｍよりも大きい場合、界面ＩＦに対して斜め方向から照明光ＩＬを照射すると、回折格子は、図７に示すように正の角度範囲内の射出角βで１次回折光ＤＬを射出する。
【００３６】
これに対し、回折格子の格子定数ｄが可視光の最短波長の１／２より大きく且つこの最短波長未満である場合、例えば約２００ｎｍより大きく且つ約４００ｎｍ未満である場合、界面ＩＦに対して斜め方向から照明光ＩＬを照射すると、回折格子は、図８に示すように負の角度範囲内の射出角βで１次回折光ＤＬを射出する。例えば、角度αが８０°であり、格子定数ｄが３００ｎｍである場合を考えると、回折格子は、波長λが５４０ｎｍの１次回折光を約−２５°の射出角βで射出する。
【００３７】
一般に、物品を観察する場合、特には光反射能及び光散乱能が小さい光吸収性の物品を観察する場合、正反射光を知覚できるように物品と光源とを観察者の目に対して相対的に位置合わせする。そのため、図７を参照しながら説明した構成を界面部ＩＦ１及びＩＦ２に採用すると、そのこと自体を観察者が知らないとしても、観察者は比較的高い確率で回折光を知覚する。これに対し、図８を参照しながら説明した構成を界面部ＩＦ１及びＩＦ２に採用すると、そのことを知らない観察者は、多くの場合、回折光を知覚できない。それゆえ、この表示体１０は、表示部ＤＡ１及びＤＡ２が干渉光を表示し得ることを悟られ難い。
【００３８】
また、図３及び図５に示す構造では、凸部ＰＲはテーパ形状を有している。このような構造を採用した場合、凸部ＰＲの中心間距離が可視光の最短波長と比較してより短ければ、界面ＩＦ１及びＩＦ２の近傍の領域は、表示体１０の厚さ方向に連続的に変化した屈折率を有していると見なすことができる。そのため、どの角度から観察しても、界面部ＩＦ１及びＩＦ２の正反射光の反射率は小さい。そして、上記の通り、界面部ＩＦ１及びＩＦ２は、法線方向に回折光を射出しない。
【００３９】
従って、例えば、表示体１０をその法線方向から観察した場合、表示部ＤＡ１及びＤＡ２は暗く見える。典型的には、表示部ＤＡ１及びＤＡ２は暗灰色又は黒色に見える。なお、ここで、「暗灰色」は、例えば、表示体１０に法線方向から光を照射し、正反射光の強度を測定したときに、波長が４００ｎｍ乃至７００ｎｍの範囲内にある全ての光成分について反射率が約２５％以下であることを意味する。また、「黒色」は、例えば、表示体１０に法線方向から光を照射し、正反射光の強度を測定したときに、波長が４００ｎｍ乃至７００ｎｍの範囲内にある全ての光成分について反射率が１０％以下であることを意味する。それゆえ、表示部ＤＡ１及びＤＡ２は、例えば暗灰色又は黒色印刷層の如く見える。
【００４０】
次に、表示体１０が表示する像について説明する。  
図９は、図１及び図２に示す表示体を法線方向から観察している様子を概略的に示す図である。図１０は、図１及び図２に示す表示体を斜め方向から観察している様子の一例を概略的に示す図である。図１１は、図１及び図２に示す表示体を斜め方向から観察している様子の他の例を概略的に示す図である。なお、図９乃至図１１において、ＬＳは光源を示し、ＯＳは観察者を示している。
【００４１】
図９に示すように、略法線方向から照明光ＩＬを表示体１０に照射し、表示体１０を略法線方向から観察した場合、界面部ＩＦ１及びＩＦ２は低反射性及び低散乱性であるので、表示部ＤＡ１及びＤＡ２は、暗灰色又は黒色等の明度及び彩度の低い色を表示する。他方、界面部ＩＦ３は界面部ＩＦ１及びＩＦ２と比較してより大きな反射率を有しているので、表示部ＤＡ３は、表示部ＤＡ１及びＤＡ２と比較してより明るく見える。
【００４２】
図１０に示すように、ｘ方向に垂直であり且つｙ方向に対して斜めの方向から照明光ＩＬを表示体１０に照射し、表示体１０を負の角度範囲内の方向から観察した場合、図８を参照しながら行った説明から明らかなように、界面部ＩＦ１は観察者ＯＳへ向けて１次回折光ＤＬを射出する。それゆえ、表示部ＤＡ１は、回折による分光色を表示する。また、界面部ＩＦ２における凸部ＰＲの配列方向と界面部ＩＦ１における凸部ＰＲの配列方向とは約４５°の角度を為している。図１０に示す観察条件のもとでは、界面部ＩＦ２に設けた回折格子の実効的な格子定数は、界面部ＩＦ１に設けた回折格子の実効的な格子定数の約１．４倍である。従って、表示部ＤＡ２は、回折による分光色を表示しないか又は表示部ＤＡ１とはスペクトルが異なる回折による分光色を表示する。ここでは、界面部ＩＦ２における凸部ＰＲの配列方向と界面部ＩＦ１における凸部ＰＲの配列方向とが為す角度を約４５°としているので、表示部ＤＡ２は、回折による分光色を表示しないか、又は、回折による分光色を表示するとしても、その明度は極めて低い。
【００４３】
図１１に示すように、略法線方向から照明光ＩＬを表示体１０に照射し、表示体１０をｘ方向に垂直であり且つｙ方向に対して斜めの方向から観察した場合、界面部ＩＦ１に設けた回折格子の実効的な格子定数は可視光の最短波長と比較してより小さいので、界面部ＩＦ１は、観察者に向けて回折光を射出しない。従って、表示部ＤＡ１は、干渉光を表示せずに暗く見える。また、界面部ＩＦ２に設けた回折格子の実効的な格子定数が可視光の最短波長と比較してより大きければ、界面部ＩＦ２は、観察者に向けて１次回折光を射出し得る。従って、表示部ＤＡ２は、干渉光を表示する可能性がある。
【００４４】
なお、図１０に示す状態から表示体１０の方位のみを変化させると、表示部ＤＡ１及びＤＡ２の表示色が変化する。例えば、表示体１０をその法線の周りで４５°回転させると、表示部ＤＡ２は回折による分光色を表示し、表示部ＤＡ１は回折による分光色を表示しないか又は表示部ＤＡ２とはスペクトルが異なる回折による分光色を表示する。ここでは、界面部ＩＦ２における凸部ＰＲの配列方向と界面部ＩＦ１における凸部ＰＲの配列方向とが為す角度を約４５°としているので、表示部ＤＡ１は、回折による分光色を表示しないか、又は、回折による分光色を表示するとしても、その明度は極めて低い。
【００４５】
また、図１１に示す状態から表示体１０の方位のみを変化させると、表示部ＤＡ１及びＤＡ２の表示色が変化する。例えば、表示体１０をその法線の周りで４５°回転させると、表示部ＤＡ２は干渉光を表示せずに暗く見え、表示部ＤＡ１は干渉光を表示する可能性がある。
【００４６】
上記の通り、表示体１０が表示する像は、観察条件に応じて多様に変化する。このような変化を生じる像を、他の技術を用いて再現することは不可能であるか又は極めて困難である。特に、通常の反射型回折格子では例えば回折による分光色と銀色又は金色の金属光沢との間でしか表示色が変化しないことから分かるように、他の技術を用いて、表示色を回折による分光色と暗灰色又は黒色との間で変化させることは不可能であるか又は極めて困難である。そして、この多様性は、写真、図形、絵、文字及び記号などの様々な像を高い意匠性で表示させるのに役立つ。
【００４７】
また、この表示体１０の界面部ＩＦ１及びＩＦ２には、極めて微細であり且つ複雑な形状を有している凸部ＰＲが設けられている。完成した表示体１０から、そのような微細構造を正確に解析することは困難である。そして、例え、完成した表示体１０から先の微細構造を解析できたとしても、この微細構造を含んだ表示体の偽造又は模造は難しい。通常の回折格子の場合、レーザ光などを利用した光学的複製方法によって干渉縞として構造をコピーされることがあるが、界面部ＩＦ１及びＩＦ２の微細構造は複製不可能である。
【００４８】
そして、上記の通り、表示部ＤＡ１及びＤＡ２が表示する回折による分光色は、特殊な条件で観察しない限り見ることはできない。すなわち、偽造又は模造を試みる者は、界面部ＩＦ１及びＩＦ２に先の微細構造が存在していること自体を認識することが難しい。
【００４９】
従って、この表示体１０を偽造防止用のラベルとして使用すると、高い偽造防止効果を実現することができる。
【００５０】
なお、光透過層１１を形成するための原版は、例えば、以下の方法により製造することができる。
【００５１】
まず、電子ビーム描画又はレーザビーム描画により、レジスト層を凸部ＰＲ又は凹部ＲＣに対応したパターンで露光し、その後、レジスト層の現像及び洗浄を順次行う。電子ビーム又はレーザビームのパワーを適宜設定することにより、テーパ形状の凸部又は凹部が設けられたレジスト層を得ることができる。次いで、例えば電鋳により、光透過層１１を形成するための原版として、金属製のスタンパを得る。
【００５２】
或いは、シリコン基板又はガラス基板などの硬質基板上に、レジスト層を形成する。次に、このレジスト層のパターン露光、現像及び洗浄を順次行い、レジストパターンを得る。次いで、先の硬質基板を、レジストパターンをマスクとして用いたエッチングに供する。このエッチングとして等方性エッチングを行うと、エッチング条件を適宜設定することにより、テーパ形状の凸部又は凹部が設けられた硬質基板を得ることができる。この硬質基板をスタンパとして用いてもよいし、この硬質基板から金属製のスタンパを作製し、これを用いてもよい。
【００５３】
この表示体１０には、様々な変形が可能である。  
図１２は、図１及び図２に示す表示体の第１及び／又は第２界面部に採用可能な構造の他の例を示す斜視図である。図１３は、図１２に示す構造の平面図である。なお、図１２には、透明層１１側から見た界面部ＩＦ１又はＩＦ２を描いている。
【００５４】
図１２及び図１３に示す界面部ＩＦ１／ＩＦ２では、凸部ＰＲは、互いに斜めに交差するｘ”方向とｙ”方向とに配列している。ｘ”方向とｙ”方向とが為す角度は、例えば、約６０°である。即ち、凸部ＰＲは、三角格子状に配列している。このような構造を界面部ＩＦ１又はＩＦ２に採用すると、上述した像の変化をより複雑にすることができる。
【００５５】
図１４（ａ）及び（ｂ）は、それぞれ、図１及び図２に示す表示体の第１及び第２界面部に採用可能な構造の更に他の例を示す斜視図である。
【００５６】
図１４（ａ）に示す界面部ＩＦ１は、図１４（ｂ）に示す界面部ＩＦ２と比較して、凸部ＰＲの中心間距離がより長い。それゆえ、例えば、界面部ＩＦ１がｘ方向に垂直な方向に射出角βで射出する回折光と、界面部ＩＦ２がｘ’方向に垂直な方向に同一の射出角βで射出する回折光とは、異なる波長を有することとなる。従って、より複雑な像の変化を生じさせることができ、より優れた偽造防止効果を得ることができるのに加え、意匠性を向上させることができる。
【００５７】
上述した表示体１０では、凸部ＰＲの代わりに、凹部を設けてもよい。  
図１５は、図１及び図２に示す表示体の第１及び／又は第２界面部に採用可能な構造の更に他の例を示す斜視図である。なお、図１５には、透明層１１側から見た界面部ＩＦ１又はＩＦ２を描いている。
【００５８】
図１５に示す界面部ＩＦ１／ＩＦ２には、複数の凹部ＲＣが設けられている。これら凹部ＲＣは、凸部ＰＲに関して説明したのと同様に配列している。各凹部ＲＣは、典型的にはテーパ形状を有している。なお、テーパ形状は、例えば、紡錘形状、円錐及び角錐などの錐体形状、又は切頭円錐及び切頭角錐などの切頭錐体形状である。凹部ＲＣの側壁は、傾斜面のみで構成されていてもよく、階段状であってもよい。このような構造を界面部ＩＦ１及び／又はＩＦ２に採用した場合であっても、上述したのと同様の効果を得ることができる。
【００５９】
界面部ＩＦ１及びＩＦ２の少なくとも一方において、凸部ＰＲ又は凹部ＲＣの一部又は全部は、テーパ形状を有していなくてもよい。但し、テーパ形状を有していない凸部ＰＲ又は凹部ＲＣの割合が増加すると、界面部ＩＦ１又はＩＦ２の反射率が大きくなる。従って、表示部ＤＡ１又はＤＡ２が表示する回折による分光色の視認性が低下する。
【００６０】
また、界面部ＩＦ１及びＩＦ２の少なくとも一方において、凸部ＰＲ又は凹部ＲＣは、畝又は溝であってもよい。即ち、凸部ＰＲ又は凹部ＲＣは、格子定数が可視光の最短波長未満であること以外は通常の回折格子と同様の回折格子を形成していてもよい。但し、反射率の観点では、凸部ＰＲ又は凹部ＲＣは、図３乃至図６及び図１２乃至図１５を参照しながら説明した構造とすることが有利である。
【００６１】
界面部ＩＦ３には、様々な構成を採用することができる。例えば、界面部ＩＦ３に凹部及び／又は凸部を不規則に配置して、光散乱機能を与えてもよい。或いは、界面部ＩＦ３に複数の溝を設けて、回折格子及び／又はホログラムを形成してもよい。
【００６２】
図１６は、図１及び図２に示す表示体の一変形例を概略的に示す断面図である。  
この表示体１０では、界面部ＩＦ３に複数の溝が設けられている。これら溝は、例えば回折格子を形成している。この回折格子の格子定数は、可視光の最短波長以上である。図１６に示す表示体１０は、この構造を採用したこと以外は、図１及び図２を参照しながら説明した表示体１０と同様である。
【００６３】
界面部ＩＦ３に形成する回折格子の格子定数は、例えば、０．５乃至２μｍの範囲内とする。また、この回折格子を構成する溝の深さは、例えば、０．１乃至１μｍの範囲内とする。
【００６４】
図１６に示す構造を採用すると、例えば、略法線方向から観察した場合や斜め方向から観察した場合に、表示部ＤＡ３に回折による分光色を表示させることができる。即ち、表示部ＤＡ３に虹色の像を表示させることができる。従って、より複雑な像の変化を生じさせることができ、また、表示部ＤＡ１及びＤＡ２が回折による分光色を表示し得ることを悟られ難くすることができる。即ち、より優れた偽造防止効果を得ること、及び、意匠性を向上させることが可能となる。
【００６５】
上述した表示体１０は、界面部ＩＦ１及びＩＦ２に加え、図１及び図２を参照しながら説明した界面部ＩＦ３と、図１６を参照しながら説明した界面部ＩＦ３との双方を更に含んでいてもよい。また、上述した表示体１０は、凸部が設けられた界面部として界面部ＩＦ１及びＩＦ２のみを含んでいるが、凸部ＰＲが設けられた他の界面部を更に含んでいてもよい。
【００６６】
表示部ＤＡ１及びＤＡ２で潜像を形成してもよい。  
図１７は、他の変形例に係る表示体を法線方向から観察している様子を概略的に示す図である。図１８は、図１７に示す表示体を斜め方向から観察している様子の一例を概略的に示す図である。
【００６７】
図１７及び図１８に示す表示体１０では、図２を参照しながら説明した界面部ＩＦ１及びＩＦ２が互いに隣接している。従って、それらの反射率及び散乱機能をほぼ等しくして、略法線方向から観察した場合にそれらの互いからの判別を不可能又は困難とすることにより、表示部ＤＡ１及びＤＡ２で潜像を構成することができる。図１７及び図１８に示す例では、表示部ＤＡ１及びＤＡ２は矩形状の領域を構成しており、この矩形状の領域のうち、表示部ＤＡ１は図１８において白抜きで描いた部分に相当し、表示部ＤＡ２はそれと隣接した部分に相当している。
【００６８】
表示部ＤＡ１及びＤＡ２で潜像を構成すると、それらが表示する像は、観察条件に応じて大きく変化する。従って、この構成を採用すると、像の変化の確認が容易になる。
【００６９】
光透過層１１は、光学的に等方性であってもよく、複屈折性を有していてもよい。後者の場合、偏光子を介して表示体１０を観察すると、表示体１０が表示する像は、偏光子の透過軸と光透過層１１の光学軸とが為す角度に応じた明るさの変化を生じる。即ち、より複雑な像の変化を生じさせることができる。
【００７０】
上述した表示体１０は、例えば、偽造防止用又は識別用ラベルとして使用することができる。表示体１０は偽造又は模造が困難であるため、このラベルを物品に支持させた場合、真正品であるこのラベル付き物品の偽造又は模造も困難である。また、このラベルは上述した視覚効果を有しているため、真正品であるかが不明の物品を真正品と非真正品との間で判別することも容易である。
【００７１】
図１９は、偽造防止用又は識別用ラベルを物品に支持させてなるラベル付き物品の一例を概略的に示す平面図である。図２０は、図１９に示すラベル付き物品のＸＸ−ＸＸ線に沿った断面図である。
【００７２】
図１９及び図２０には、ラベル付き物品の一例として、印刷物１００を描いている。この印刷物１００は、ＩＣ（integrated circuit）カードであって、基材２０を含んでいる。基材２０は、例えば、プラスチックからなる。基材２０の一方の主面には凹部が設けられており、この凹部にＩＣチップ３０が嵌め込まれている。ＩＣチップ３０の表面には電極が設けられており、これら電極を介してＩＣへの情報の書き込み及び／又はＩＣに記録された情報の読出しが可能である。基材２０上には、印刷層４０が形成されている。基材２０の印刷層４０が形成された面には、上述した表示体１０が例えば粘着層を介して固定されている。表示体１０は、例えば、粘着ステッカとして又は転写箔として準備しておき、これを印刷層４０に貼りつけることにより、基材２０に固定する。
【００７３】
この印刷物１００は、表示体１０を含んでいる。それゆえ、この印刷物１００の偽造又は模造は困難である。また、この印刷物１００は、表示体１０を含んでいるので、真正品であるかが不明の物品を真正品と非真正品との間で判別することも容易である。しかも、この印刷物１００は、表示体１０に加えて、ＩＣチップ３０及び印刷層４０を更に含んでいるため、それらを利用した偽造防止対策を採用することができる。
【００７４】
なお、図１９及び図２０には、表示体１０を含んだ印刷物としてＩＣカードを例示しているが、表示体１０を含んだ印刷物は、これに限られない。例えば、表示体１０を含んだ印刷物は、磁気カード、無線カード及びＩＤ（identification）カードなどの他のカードであってもよい。或いは、表示体１０を含んだ印刷物は、商品券及び株券などの有価証券であってもよい。或いは、表示体１０を含んだ印刷物は、真正品であることが確認されるべき物品に取り付けられるべきタグであってもよい。或いは、表示体１０を含んだ印刷物は、真正品であることが確認されるべき物品を収容する包装体又はその一部であってもよい。
【００７５】
また、図１９及び図２０に示す印刷物１００では、表示体１０を基材２０に貼り付けているが、表示体１０は、他の方法で基材に支持させることができる。例えば、基材として紙を使用した場合、表示体１０を紙に漉き込み、表示体１０に対応した位置で紙を開口させてもよい。或いは、基材として光透過性の材料を使用する場合、その内部に表示体１０を埋め込んでもよく、基材の裏面、即ち表示面とは反対側の面に表示体１０を固定してもよい。
【００７６】
また、ラベル付き物品は、印刷物でなくてもよい。すなわち、印刷層を含んでいない物品に表示体１０を支持させてもよい。例えば、表示体１０は、美術品などの高級品に支持させてもよい。
【００７７】
表示体１０は、偽造防止以外の目的で使用してもよい。例えば、表示体１０は、玩具、学習教材又は装飾品等としても利用することができる。
以下に、当初の特許請求の範囲に記載していた発明を付記する。
［１］複数の凹部又は凸部を各々が含んだ第１及び第２界面部を備え、前記第１及び第２界面部の各々において、前記複数の凹部又は凸部は可視光の最短波長の１／２より長く且つ前記最短波長未満の中心間距離で規則的に配列し、前記第１及び第２界面部は前記複数の凹部又は凸部の配列方向が互いに異なっていることを特徴とする表示体。
［２］前記表示体のうち、前記第１界面部に対応した第１表示部と、前記第２界面部に対応した第２表示部とは、正面から観察した場合に同一の色感覚を観察者に与えることを特徴とする項１に記載の表示体。
［３］前記第１及び第２界面部は互いから離間しており、前記第１及び第２表示部は正面から観察した場合に互いからの判別が可能な像を表示することを特徴とする項２に記載の表示体。
［４］前記第１及び第２表示部は、互いに隣接しており、正面から観察した場合に互いからの判別が不可能又は困難な潜像を表示することを特徴とする項２に記載の表示体。
［５］前記第１及び第２界面部の各々において前記複数の凹部又は凸部は正方格子状に配列し、前記第１界面部と前記第２界面部とで前記配列方向が４５°異なっていることを特徴とする項２乃至４の何れか１項に記載の表示体。
［６］前記第１及び第２界面部は前記複数の凹部又は凸部の中心間距離が互いに異なっていることを特徴とする項２乃至５の何れか１項に記載の表示体。
［７］前記第１及び第２界面部と面内方向に隣り合った第３界面部を更に備え、前記第３界面部は平坦面であることを特徴とする項１乃至６の何れか１項に記載の表示体。
［８］前記第１及び第２界面部と面内方向に隣り合った第３界面部を更に備え、前記第３界面部には複数の溝を配列してなり且つ前記最短波長以上の格子定数を有している回折格子が設けられていることを特徴とする項１乃至６の何れか１項に記載の表示体。
［９］前記第１及び第２界面部と面内方向に隣り合った第３及び第４界面部を更に備え、前記第３界面部は平坦面であり、前記第４界面部には複数の溝を配列してなり且つ前記最短波長以上の格子定数を有している回折格子が設けられていることを特徴とする項１乃至６の何れか１項に記載の表示体。
［１０］一方の主面が前記複数の界面部を含んだ光透過層を具備し、前記光透過層は複屈折性を有していることを特徴とする項１乃至９の何れか１項に記載の表示体。
［１１］前記複数の界面部の前記一部と前記他の一部との各々において、前記複数の凹部又は凸部の少なくとも一部はテーパ形状を有していることを特徴とする項１乃至１０の何れか１項に記載の表示体。
［１２］項１乃至１１の何れか１項に記載の表示体と、これを支持した物品とを具備したことを特徴とするラベル付き物品。
【図面の簡単な説明】
【００７８】
【図１】本発明の一態様に係る表示体を概略的に示す平面図。
【図２】図１に示す表示体のＩＩ−ＩＩ線に沿った断面図。
【図３】図１及び図２に示す表示体の第１界面部に採用可能な構造の一例を示す斜視図。
【図４】図３に示す構造の平面図。
【図５】図１及び図２に示す表示体の第２界面部に採用可能な構造の一例を示す斜視図。
【図６】図５に示す構造の平面図。
【図７】回折格子が１次回折光を射出する様子を概略的に示す図。
【図８】他の回折格子が１次回折光を射出する様子を概略的に示す図。
【図９】図１及び図２に示す表示体を法線方向から観察している様子を概略的に示す図。
【図１０】図１及び図２に示す表示体を斜め方向から観察している様子の一例を概略的に示す図。
【図１１】図１及び図２に示す表示体を斜め方向から観察している様子の他の例を概略的に示す図。
【図１２】図１及び図２に示す表示体の第１及び／又は第２界面部に採用可能な構造の他の例を示す斜視図。
【図１３】図１２に示す構造の平面図。
【図１４】（ａ）及び（ｂ）は、それぞれ、図１及び図２に示す表示体の第１及び第２界面部に採用可能な構造の更に他の例を示す斜視図。
【図１５】図１及び図２に示す表示体の第１及び／又は第２界面部に採用可能な構造の更に他の例を示す斜視図。
【図１６】図１及び図２に示す表示体の一変形例を概略的に示す断面図。
【図１７】他の変形例に係る表示体を法線方向から観察している様子を概略的に示す図。
【図１８】図１７に示す表示体を斜め方向から観察している様子の一例を概略的に示す図。
【図１９】偽造防止用又は識別用ラベルを物品に支持させてなるラベル付き物品の一例を概略的に示す平面図。
【図２０】図１９に示すラベル付き物品のＸＸ−ＸＸ線に沿った断面図。
【符号の説明】
【００７９】
１０…表示体、１１…光透過層、１３…反射層、２０…基材、３０…ＩＣチップ、４０…印刷層、１００…印刷物、１１１…光透過性基材、１１２…光透過性樹脂層、ＤＡ１…表示部、ＤＡ２…表示部、ＤＡ３…表示部、ＤＬ…１次回折光、ＩＦ…界面部、ＩＦ１…界面部、ＩＦ２…界面部、ＩＦ３…界面部、ＩＬ…照明光、ＬＳ…光源、ＮＬ…法線、ＯＳ…観察者、ＰＲ…凸部、ＲＣ…凹部、ＲＬ…正反射光。
【図１】
0005349772.tif 000002
【図２】
0005349772.tif 000003
【図３】
0005349772.tif 000004
【図４】
0005349772.tif 000005
【図５】
0005349772.tif 000006
【図６】
0005349772.tif 000007
【図７】
0005349772.tif 000008
【図８】
0005349772.tif 000009
【図９】
0005349772.tif 000010
【図１０】
0005349772.tif 000011
【図１１】
0005349772.tif 000012
【図１２】
0005349772.tif 000013
【図１３】
0005349772.tif 000014
【図１４】
0005349772.tif 000015
【図１５】
0005349772.tif 000016
【図１６】
0005349772.tif 000017
【図１７】
0005349772.tif 000018
【図１８】
0005349772.tif 000019
【図１９】
0005349772.tif 000020
【図２０】
0005349772.tif 000021